(57)【特許請求の範囲】
【請求項１】
メダル投入口と、メダルと水分を含んだ研磨材とを混在させて洗浄する洗浄部と、洗浄部から送られるメダルと水分を含んだ研磨材とをそれぞれ分離するように洗浄部に隣接した分離部と、洗浄水を貯留する水槽と、洗浄部と分離部とを振動させる振動手段と、分離部で分離した水分を含んだ研磨材を洗浄部に循環する循環手段と、から成るメダル洗浄装置において、
上記洗浄部は、水槽に臨んで洗浄水の水面より上部にあって、メダルと水分を含んだ研磨材とを混在させてメダルを研磨し、振動手段の振動によってメダルと水分を含んだ研磨材とを分離部へ送り出し、
上記分離部は、水槽に臨んで下層部を洗浄水に水没させて水槽内にメダルと水分を含んだ研磨材とを浸漬させながら振動手段の振動によってメダルと水分を含んだ研磨材とを分離する構成としたことを特徴とするメダル洗浄装置。
【発明の詳細な説明】
【０００１】
【発明の属する技術分野】
本発明は、例えばスロットマシン等の遊技機において繰り返し使用され、手垢等で汚れたメダルを洗浄するメダル洗浄装置に関する。
【０００２】
【従来の技術】
銀行等において貨幣（硬貨）として使用されるコイン、または遊技店（パチンコ店やゲームセンター等）においてスロットマシン等の遊技機に使用されるメダルは、不特定多数の遊技客の手に握られて使用されることから、手の脂肪の手垢等の汚れがメダルやコイン（以下、メダル類という）の表面（模様部分等）に付着し、共用する他人に不快感を与えるものであり、定期的に洗浄する必要があった。
ここでは、遊技店のうちパチンコ店においてスロットマシン等の遊技機に使用されるメダル類について説明する。
パチンコ店に設置されるスロットマシン、メダル遊技機等の遊技機に使用されるメダル類の洗浄に当たっては、開店中若しくは閉店時にメダル類をメダル洗浄装置にて研磨している。
該メダル洗浄装置は、例えば乾いた綿部材の布ベルト間にメダルを送り込み洗浄する乾式洗浄装置としての布ベルト方式と、水または温水にて洗浄する湿式洗浄装置としての水、温水洗浄方式と、合成樹脂（ナイロン製のペレット）から成る研磨材を使用し、水中でメダル類と研磨材を混在させて攪拌洗浄する湿式洗浄装置としての研磨材洗浄方式とが一般的に多用されている。
【０００３】
上記したメダル洗浄装置の布ベルト方式においては、大掛かりな機構となってしまい、乾式で洗浄するため特にメダル類の表面（模様部分等）に付着した手の脂肪の手垢等の汚れを完全に取り除くことが出来ないものであった。
そこで、研磨材洗浄方式のメダル洗浄装置が昨今、提供されるようになった。研磨材洗浄方式（湿式洗浄装置）のメダル洗浄装置の一例として、特開平６−２０８６７０（以下、先行技術１という）に示す技術が開示されている。
この先行技術１の構成を記すれば、図７に示すように縦筒状の第２容器３内にコイン４とペレット状研磨材５の混合物を投入してこれに水等の液体６を加え、第２容器３内でスクリュー７を回転させることにより混合物を攪拌し、コイン４の研磨と洗浄を同時に行い、第２容器３から取出した混合物を選別機構８でコイン４とペレット状研磨材５と分離する構成と成している。
【０００４】
また、他方の研磨材洗浄方式（湿式洗浄装置）のメダル洗浄装置の一例として、特開平１１−１９８０２３（以下、先行技術２という）に示す技術が開示されている。
この先行技術２の構成を記すれば、図８に示すようにホッパー１０から投入されたコイン１１と、洗浄液槽１２から水中ポンプ１３で吸い上げられた研磨用チップ２０が混入された洗浄液１４を、上下に配置した横向き六角筒状の２つの回転ドラム１５、１６へ、上側の回転ドラム１５、下側の回転ドラム１６の順に供給し、コイン１１を洗浄しながら、各回転ドラム１５、１６の内周面に設けられたコイン案内羽根１７で各排出端１５ａ、１６ａ側へ送り出し、研磨用チップ２０を下側の回転ドラム１６のコイン排出端側１６ａの胴周の小孔１６ｃから除去し、洗浄されたコイン１１のみを、籠車１８で連続的にすくい上げてコンベア１９で絞りロール１９ａへ搬送し、コイン１１に付着した洗浄液１４を除去して、コイン１１を短時間で連続的に洗浄できる構成と成している。
【０００５】
【発明が解決しようとする課題】
しかしながら、上記先行技術１によれば、第１容器２内にコイン４とペレット状研磨材５が投入され、加えられた水等の液体６中でこのコイン４とペレット状研磨材５の混合物を第２容器３内に送り、スクリュー７を回転させることにより混合物を攪拌し、コイン４の研磨と洗浄を同時に行うようにしているが、縦型のスクリュー７を回転して攪拌するため下方から上方に短時間で揚送してしまう。特に、スクリュー７を回転して攪拌する構成では、投入されたコイン４が二枚重ねのまま揚送してしまうため、この重なったコイン４、４間にペレット状研磨材５が混入されず、その結果、重なった面の洗浄が行なわれないまま、選別機構８に排出されてしまい、投入したコイン４の表面（模様部分等）の手の脂肪の手垢等の汚れを完全に洗浄出来ず、再使用する遊技客に不快感を与えていた。
尚、時間をかけてゆっくり洗浄しようとすると処理能力が間に合わず、また、縦型のスクリュー７の長さを長くすると小型化に構成することが出来ない。
さらに、第２容器３から取出した混合物を選別機構８でコイン４とペレット状研磨材５と分離するが、コイン４とペレット状研磨材５の表面同士の水滴にて附着してしまい選別に時間を要していた。
【０００６】
他方、上記先行技術２によれば、ホッパー１０から投入されたコイン１１と、洗浄液槽１２から水中ポンプ１３で吸い上げられる洗浄液１４を含む研磨用チップ２０が、上側の回転ドラム１５内にて、回転ドラム１５の内周面に設けられたコイン案内羽根１７で排出端１５ａへ洗浄しながら送り出され、次いで洗浄液槽１２に設けた下側の回転ドラム１６へと供給され、洗浄液槽１２中にてコイン１１と研磨用チップ２０とが回転ドラム１６の内周面に設けられたコイン案内羽根１７で排出端１６ａ側へ送り出されるものであるが、上側の回転ドラム１５内にてコイン１１の汚れが洗浄液１４を含む研磨用チップ２０により洗浄され、次いで下側の回転ドラム１６へと供給され、下側の回転ドラム１６は洗浄液１４に浸漬されていることから、汚れを拭き取った研磨用チップ２０の汚れが洗浄液１４中に浮遊することとなり、この浮遊する汚れがコイン１１に再び付着してしまい、その結果、コイン１１を綺麗に洗浄することが出来ず、再使用する遊技客に不快感を与えていた。
【０００７】
本発明は、以上の点に鑑み、貨幣（硬貨）として使用されるコイン、またはスロットマシン等の遊技機に使用されるメダルの洗浄を向上したメダル洗浄装置を提供することを目的としている。
【０００８】
【課題を解決するための手段】
上記目的は、メダル投入口と、メダルと水分を含んだ研磨材とを混在させて洗浄する洗浄部と、洗浄部から送られるメダルと水分を含んだ研磨材とをそれぞれ分離するように洗浄部に隣接した分離部と、洗浄水を貯留する水槽と、洗浄部と分離部とを振動させる振動手段と、分離部で分離した水分を含んだ研磨材を洗浄部に循環する循環手段と、から成るメダル洗浄装置において、上記洗浄部は、水槽に臨んで洗浄水の水面より上部にあって、メダルと水分を含んだ研磨材とを混在させてメダルを研磨し、振動手段の振動によってメダルと水分を含んだ研磨材とを分離部へ送り出し、上記分離部は、水槽に臨んで下層部を洗浄水に水没させて水槽内にメダルと水分を含んだ研磨材とを浸漬させながら振動手段の振動によってメダルと水分を含んだ研磨材とを分離する構成としたメダル洗浄装置により、達成される。
【０００９】
また、本発明によるメダル洗浄装置は、好ましくは、上記洗浄部及び分離部とが、一体に形成され、少なくとも一つ以上（例えば、中央一つ若しくは左右二つ）の振動手段の振動によって、洗浄する工程と分離する工程とが行われる構成としたことにより、達成される。
【００１０】
また、本発明によるメダル洗浄装置は、好ましくは、上記洗浄部の任意の箇所には、分離部に導くために複数個の短辺方向凹凸形状（例えば、階段形状や三角柱形状やＳ字形状等）から成る案内部が設けられていることにより、達成される。
【００１１】
また、本発明によるメダル洗浄装置は、好ましくは、上記分離部は、水槽内に浸漬され、任意の箇所には、複数個の短辺方向凹凸形状（例えば、階段形状や三角柱形状やＳ字形状等）から成る案内部が設けられていると共に、該案内部とその周辺位置にメダルと水分を含んだ研磨材とを分離させるメダルの径より小さい通過穴が設けられていることにより、達成される。
【００１２】
上記した構成によれば、洗浄すべきメダル類と水分を含んだ研磨材とが洗浄部内で混在し、洗浄部と分離部とが振動手段により振動されているので、先ず洗浄部の内部（洗浄分離筒部）に設けた案内部に当たり、または弾き飛ばされ、この際メダル類と水分を含んだ研磨材とが接触・摺接することによって、メダル類の表面（模様部分等）を綺麗に研磨・洗浄することが出来る。また、上記洗浄部及び分離部とが、一体に形成されているため、部品点数を削減し、製品コストを低減させることが出来る。
【００１３】
上記した構成によれば、洗浄されて洗浄部から送られるメダル類と水分を含んだ研磨材とが振動手段により振動する分離部の内部（洗浄分離筒部）に設けた複数個の短辺方向凹凸形状から成る案内部に当たり、または弾き飛ばされ、メダル類と研磨材とをそれぞれ分離・遊離させ、案内部および分離手段の周辺位置に設けた通過穴から研磨材のみが透過・落下してメダル類と完全に分離され、該メダル類は短辺方向凹凸形状から成る案内部によって進行方向、即ち分離部の後端へと送られ、搬送手段（例えば、ベルトコンベア等）によって脱水手段側へと搬送されていく。
【００１４】
上記した構成によれば、上記分離部が水を加えた水槽内に浸漬して設けられているため、洗浄部から分離部へと送られるメダル類と研磨材は、上記水槽の水中で振動し、上記案内部に当たり、または弾き飛ばされる。該研磨材は案内部および分離部の周辺位置に設けた通過穴から研磨材のみが水槽中に透過され、循環手段によって再利用される。
よって、振動手段による振動によって送られてくるメダル類と研磨材とが完全に分離されると共に、汚れを拭き取った研磨材の汚れが水中に浮遊したとしても、この浮遊する汚れがメダル類に再び付着する間もなく分離部の後端へと送られ、搬送手段によって脱水手段側へと搬送されため、メダル類を良好に洗浄することが出来る。
尚、上記循環手段は、水槽から循環して汲み上げられる接続パイプを備え、接続パイプの上部に透過板および分岐パイプを設け、透過板を介して水は水槽へ循環され、分岐パイプにより上記水分を含んだ研磨材が上記洗浄部に供給されるようにしているため、水は繰り返し使用することが出来、水の交換機会（店員の労力）を最小限に抑えることも出来る。
【００１５】
また、本発明によるメダル洗浄装置は、好ましくは、上記振動手段は、振動の周期（例えば、上下動や左右動若しくは振幅等）を変えて振動させるようにしたことにより、達成される。
【００１６】
上記した構成によれば、メダル洗浄装置の上記振動手段は、振動の周期を変えて振動させることが出来るため、メダル類の洗浄レベルを変えることが出来る。
【００１７】
また、本発明によるメダル洗浄装置は、好ましくは、上記研磨材は、角張った形状（例えば、先端が潰れた形状や多面体形状等）から成る研磨材としたことにより、達成される。
【００１８】
上記した構成によれば、上記メダル洗浄装置で使用する研磨材は、例えば角張った形状から成る研磨材を使用しているため、水分を含んだ研磨材を使用してメダル類を研磨・洗浄することと相乗してメダル類の外周縁部やメダル表面に刻設された模様部分等が磨り潰（剥がれ落ちる）されるようなことなく、また研磨粉や屑等の発生も防ぐと共に、メダル類の表面に刻設された模様部分等に付着した汚れまで効果的に研磨・洗浄することが出来る。
【００１９】
【発明の実施の形態】
以下、本発明によるメダル洗浄装置の一実施形態について図面を参照しながら説明する。
図１は、メダル洗浄装置の実施形態を示す概略斜視図を示し、正面側の側板を省略している。図２は、図１の要部を示す概略斜視図であり、縦断されている。図３は、筐体を除いた図１の観方を変えた概略斜視図を示している。図４は、図３の要部を示す概略斜視図。図５は、図１の概略断面図。図６は、図１の概略右側面図である。
【００２０】
ここでは、遊技店のうちパチンコ店において設置されたスロットマシン等の遊技機に使用されるメダル類を洗浄するメダル洗浄装置について説明していく。
図１に示すようにメダル洗浄装置３０は、外観の筐体を長方形状から形成され、上部に使用済みのメダル類を相当数量投入できる漏斗状のメダル投入口であるホッパー３１と、内部に該ホッパー３１の下方に配置した洗浄部３２と、該洗浄部３２に接続する分離部３３と、洗浄部３２及び分離部３３とを振動させる振動手段３７と、該分離部３３の下方に位置して配置された水槽３４と、分離部３３で分離した研磨材を洗浄部３２に循環する循環手段４２と、から大略構成されている。
【００２１】
上部に設けたホッパー３１の下方には、搬送手段であるベルトコンベア３５が水平状に左右のローラにより張架され、ホッパー３１の下方で進行方向前方に側板３１ａが一枚のメダル類の厚さより僅かに背丈が高い空間の位置に設けられているためホッパー３１から相当数量のメダルが投入されてもメダル類を一枚づつ崩しながらベルトコンベア３５にて供給端側（右側方向）へと送るように成している。
また、ベルトコンベア３５の供給端側の下方には、洗浄部３２へと落下案内させるための通路である供給案内部３６が設けられ、洗浄部３２へとメダル類を徐々に落下する幅に形成されている。
【００２２】
次に、本発明のメダル洗浄装置の要旨である洗浄部及び振動手段の構成について説明する。
洗浄部３２においては、水分を含んだ合成樹脂等（例えば、ナイロン製で２ｍｍ程度の大きさのペレット）からなる研磨材と、投入されたメダル類とを略長方形の洗浄分離筒部内にて混在させるように成し、後述する振動手段３７の振動によって洗浄分離筒部内にてメダル類の表面を研磨・洗浄するように構成されている。
【００２３】
また、上記メダル洗浄装置３０の洗浄部３２で使用する合成樹脂等からなる研磨材は、一般的に使用されている円筒形状に形成したものであっても良いが、特に、角張った形状（例えば、先端が潰れた形状や多面体形状等）から成る研磨材を使用すれば、水分が含まれているためメダル類を研磨・洗浄することに相乗してメダル類の外周縁部やメダル表面に刻設された模様部分等が磨り潰されることなく、また研磨粉や屑等の発生も防ぐと共に、メダル類の表面に刻設された模様部分等に付着した汚れまでも効果的に研磨・洗浄することが出来る。
【００２４】
上記した略長方形の洗浄分離筒部を振動させる振動手段３７は、少なくとも一つの以上（例えば、中央一つ若しくは左右二つ）が筐体内部に設けられている。例えば、振動手段３７は、モータの軸端に回転円板を軸支し、この回転円板にモータの回転軸と偏心して連接板の一端を回転自在に取付け、連接板の他端は上記洗浄部３２に接続する分離部３３との洗浄分離筒部にそれぞれ回転自在に取付けて構成されている（図５参照）。
よって、図示しない操作部を操作（スイッチＯＮ）すると、モータが回転し、その回転に伴って回転円板が回転し、回転軸と偏心している連接板が回転すると洗浄分離筒部が連動して振動動作（例えば、上下動）する。
また、上記振動手段３７は、振動の周期（例えば、左右動若しくは回動又は振幅等）を選択スイッチ操作により洗浄レベルを任意に選択して振動させることにより、メダル類の研磨・洗浄を一層向上することも出来る。
尚、上記以外にも振動を起こす手段があれば他の方法であっても良い。
【００２５】
上記した洗浄部３２の洗浄分離筒部は、後述で説明する隣接する分離部３３と接続した一体に形成して上下に振動させるようにしたものである。このように上記洗浄部３２（洗浄する工程）及び分離部３３（分離する工程）の洗浄分離筒部が、一体に形成されているため、部品点数を削減し、製品コストを低減させることが出来る。
尚、上記洗浄部３２と分離部３３の洗浄分離筒部は、図面においては一体に形成したものとしているが、それぞれ分離独立したものであっても良い。
【００２６】
次に、洗浄部３２の洗浄分離筒部内に設けた案内部の構成（形状）について説明する。
洗浄部３２の洗浄分離筒部内の任意の箇所には、分離部３３に導くための複数個の案内部３８が設けられている。
洗浄分離筒部内の任意の箇所（例えば、底面や上面等）には、メダル類を分離部３３の方向に送り出すための短辺方向凹凸形状から成る案内部３８（例えば、階段形状や三角柱形状やＳ字形状等）が設けられている。
図２又は図５に例示した案内部３８は、例えば三角柱形状（進行方向へとまたその反対方向への傾斜面とが傾斜角度を変え、進行方向と直交して進行方向に連続して）に形成されている。よって、投入されたメダル類と水分を含んだ研磨材とが、洗浄部３２の振動手段３７の振動に伴って、上記した案内部３８に当たり、または弾き飛ばされ、この洗浄作用を繰り返しながらメダル類と水分を含んだ研磨材とが接触・摺接してメダル類の表面の汚れを、水分を含んだ研磨材によって洗浄しながら進行方向、即ち分離部側３３へと送り出していく。
【００２７】
次に、本発明のメダル洗浄装置の要旨である洗浄部に隣接する分離部及び振動手段の構成について説明する。
分離部３３である略長方形の洗浄分離筒部を振動させる振動手段３７の構成は、上記した洗浄部３２に取り付けた振動手段３７のものと略同一の構成であるため、ここでの説明は省略する。
【００２８】
図５に示すように、分離部３３の洗浄分離筒部は、上記した洗浄部３２の洗浄分離筒部に一体形成して接続され、中央付近に傾斜した接続部３９によって洗浄部３２より低い位置に配置され、この分離部３３の洗浄分離筒部の下方に水槽３４が設けられ、該水槽３４には常時、中程位まで水が貯留されている。
上記した分離部３３の洗浄分離筒部の上層部分まで、水槽３４の水にて浸漬した状態で振動手段３７により振動するように成っている。
尚、水槽中３４には、通常、水（例えば、常温水）を注入するが、適宜洗浄効果を上げる成分を混入した洗浄剤（例えば、洗剤や界面活性剤等）を混入させて洗浄水にしても良い。
【００２９】
次に、分離部３３の洗浄分離筒部内に設けた案内部の構成（形状）について説明する。
分離部３３の洗浄分離筒部内の任意の箇所には搬送手段の方向に導くための複数個の案内部４０が設けられている。
洗浄分離筒部内の任意の箇所（例えば、底面や上面等）には、メダル類を搬送手段の方向に送り出すための短辺方向凹凸形状から成る案内部４０（例えば、階段形状や三角柱形状やＳ字形状等）が設けられている。
ここでの案内部４０の形状は、上述した洗浄部３２の洗浄分離筒部内の任意の箇所に分離部３３方向に導くための複数個の案内部３８と同形状と成している。図２又は図５に例示するように案内部４０も、例えば三角柱形状（進行方向へとまたその反対方向への傾斜面とが傾斜角度を変え、進行方向と直交して進行方向に連続して）に形成されている。
【００３０】
さらに、分離部３３の洗浄分離筒部内に設けた複数個の案内部４０と、その周辺位置には水分を含んだ研磨材とメダル類とを分離させるためメダル類の径より小さい通過穴４１（例えば、四角形状等）が多数設けられている。
よって、洗浄部３２側から送られてきたメダル類と水分を含んだ研磨材は、水槽３４内に浸漬した状態において分離部３３の振動手段３７の振動に伴って、上記した案内部４０に当たり、または弾き飛ばされ、この分離作用を繰り返す過程において研磨材のみが底面、周辺位置に設けられた通過穴４１から通過し、水槽３４の下方側に落下していく。
分離部３３の洗浄分離筒部内に残ったメダル類のみが振動によって次第に移行していき搬送手段の方向に導かれ、次いで脱水手段側へと搬送されていく。
【００３１】
上記構成によれば、洗浄されて洗浄部３２から送られるメダル類と水分を含んだ研磨材とが振動手段３７により振動する分離部３３の任意の箇所に設けた複数個の短辺方向凹凸形状から成る案内部４０に当たり、または弾き飛ばされ、メダル類と研磨材とをそれぞれ分離・遊離させ、案内部４０および分離部３３の周辺位置に設けた通過穴４１から研磨材のみが透過・落下してメダル類とを完全に分離させることが出来る。
さらに、上記分離部３３が水を加えた水槽３４内に浸漬して設けられているため、振動手段３７による振動によって送られてくるメダル類と研磨材とが完全に分離されると共に、汚れを拭き取った研磨材の汚れが水中に浮遊したとしても、この浮遊する汚れがメダル類に再び付着する間もなく分離部３３の後端へと送られ、搬送手段によって脱水手段側へと搬送されため、メダル類を良好に洗浄することが出来る。
【００３２】
次に、上記分離部によって分離された研磨材と水槽内の水を洗浄部に循環還流させる循環手段の構成について説明する。
図３乃至図５に示すように、循環手段４２は水槽３４と水中ポンプ４３と接続パイプ４４と分岐パイプ４６と、から大略構成されている。
上記水槽３４の底部に水を汲み上げる汲上モータから成る水中ポンプ４３が側壁に設けられ、該水中ポンプ４３に接続パイプ４４が接続されている。さらに接続パイプ４４の上方に分岐パイプ４６が接続されている。該分岐パイプ４６の分岐する部位に水を透過するが研磨材は通過しない程度の透過板４５（例えば、網体等）が設けられている。尚、分岐する部位の一方側はベルトコンベア３５の下方に形成した供給案内部３６に接続されている。
上記の構成によれば、水中ポンプ４３によって、水槽３４の水と研磨材とが一緒に接続パイプ４４内に汲み上げられ、接続パイプ４４の上方に設けた分岐パイプを介して透過板４５上を排出され、水は水槽３４へと循環される。
水分を含んだ研磨材は透過板４５上を通過して供給案内部３６を介して洗浄部３２へと、排出されるメダル類と共に混在した状態で投入される。
【００３３】
以上のように構成された本発明によるメダル洗浄装置３０は、洗浄すべきメダル類がホッパー３１から投入され、また、水分を含んだ研磨材とが供給案内部３６からそれぞれ洗浄部３２の供給端に投入されると、洗浄部３２の洗浄分離筒部内にて混在することとなり、左右の振動手段３７にて洗浄部３２及び分離部３３とが振動され、洗浄部３２側の洗浄分離筒の内部底面に設けた案内部３８に当たり、または弾き飛ばす、洗浄作用が行われる。この洗浄作用によりメダル類と水分を含んだ研磨材とが接触・摺接して、メダル類の表面（模様部分等）を綺麗に研磨・洗浄することが出来るので、再利用する遊技客に不快感を与えることがなくなる。
【００３４】
次いで、振動する洗浄部３２の案内部３８に当たり、または弾き飛ばされながら、研磨・洗浄されたメダル類と研磨材とが分離部３３の洗浄分離筒側へと送り込まれ、振動する分離部３３の内部底面等に設けた案内部４０にて水中で当たり、または弾き飛ばす、分離作用が行われる。この時、メダル類と研磨材は浸漬する分離部３３の洗浄分離筒の通過穴４１から研磨材のみが通過して水槽３４の下方へと落下し、メダル類と研磨材とが完全に分離され、メダル類のみが案内部４０の進行方向後端、即ち分離部３３の後端の搬送手段へと送られ、さらに脱水手段側へと搬送されていく。
【００３５】
さらに、分離部３３の分離作用によって分離され、下方に自重で落下した研磨材は、循環手段である水中ポンプ４３によって水と共に汲み上げられ、接続パイプ４４の上部に設けた透過板４７にて水のみが透過して再利用するため水槽３４へと循環される。水分を含んだままの研磨材は透過板４７上を通過して供給案内部３６から洗浄部３２の洗浄分離筒部内へと送られる。このように水および研磨材は繰り返し再利用することにより水を交換する機会を最小限に抑えることが出来るので、店員の労力が軽減することとなる。尚、上記洗浄を繰り返しているうち、水槽３４内の水が汚れた時を見計らって入れ替える。
【００３６】
尚、上記の説明においては、スロットマシン等の遊技機に使用されるメダルに付いて説明したが、円板状体を形成したものであればなんでも良く、例えば貨幣として使用される硬貨、コイン、ＩＣコインに付いても本発明を適用できることは説明するまでもなく、コインやメダルのそれぞれ大きさの異なるものを混在して研磨・洗浄することも出来る。
【００３７】
【発明の効果】
以上の説明で明らかなように、上記構成によれば、洗浄すべきメダル類と水分を含んだ研磨材とが洗浄部内に混在し、洗浄部と分離部とが振動手段により振動されているので、先ず洗浄部の内部（洗浄分離筒部）に設けた案内部に当たり、または弾き飛ばされ、この際メダル類と水分を含んだ研磨材とが接触・摺接することによって、メダル類の表面（模様部分等）を綺麗に研磨・洗浄することが出来るため、再利用する遊技客に不快感を与えることがなくなる。
また、上記洗浄部及び分離部とが、一体に形成されているため、部品点数を削減し、製品コストを低減させることが出来る。
【００３８】
また、上記構成によれば、洗浄されて洗浄部から送られるメダル類と水分を含んだ研磨材とが振動手段により振動する分離部の内部（洗浄分離筒部）に設けた複数個の短辺方向凹凸形状から成る案内部に当たり、または弾き飛ばされ、メダル類と研磨材とをそれぞれ分離・遊離させ、案内部および分離部の周辺位置に設けた通過穴から研磨材のみが透過・落下してメダル類と完全に分離させることが出来る。
【００３９】
また、上記構成によれば、分離部が水を加えた水槽内に浸漬して設けられているため、洗浄部から分離部へと送られるメダル類と研磨材は、上記水槽の水中で振動し、上記案内部に当たり、または弾き飛ばされる。該研磨材は、案内部および分離部の周辺位置に設けた通過穴から研磨材のみが水槽中に透過され、循環手段によって再利用される。
よって、振動手段による振動によって送られてくるメダル類と研磨材とが完全に分離されると共に、汚れを拭き取った研磨材の汚れが水中に浮遊したとしても、この浮遊する汚れがメダル類に再び付着する間もなく分離部の後端へと送られ、搬送手段によって脱水手段側へと搬送されため、メダル類を良好に洗浄することが出来る。
【００４０】
また、上記構成によれば、メダル洗浄装置の上記振動手段は、振動の周期を変えて振動させることが出来るため、メダル類の洗浄レベルを変えることが出来る。
【００４１】
また、上記構成によれば、上記メダル洗浄装置で使用する研磨材は、角張った形状から成る研磨材を使用しているため、水分を含んだ研磨材を使用してメダル類を研磨・洗浄することと相乗してメダル類の外周縁部やメダル表面に刻設された模様部分等が磨り潰（剥がれ落ちる）されるようなことなく、また研磨粉や屑等の発生も防ぐと共に、メダル類の表面に刻設された模様部分等に付着した汚れまでも効果的に研磨・洗浄することが出来る。
【００４２】
かくして、本発明の構成によれば、貨幣（硬貨）として使用されるコイン、またはスロットマシン等の遊技機に使用されるメダルの洗浄をより一層向上した、極めて優れたメダル洗浄装置を提供することで所期の目的が達成される。
【図面の簡単な説明】
【図１】本発明によるメダル洗浄装置の実施形態を示す概略斜視図である。
【図２】図１の要部を示す概略斜視図である。
【図３】筐体を除いた図１の観方を変えた概略斜視図である。
【図４】図３の要部を示す概略斜視図である。
【図５】図１の概略断面図である。
【図６】図１の概略右側面図である。
【図７】従来のメダル洗浄装置の例を示す断面図である。
【図８】従来のメダル洗浄装置の例を示す断面図である。
【符号の説明】
３０      メダル洗浄装置
３２      洗浄部
３３      分離部
３４      水槽
３７      振動手段
３８      案内部
４０      案内部
４１      通過穴
４２      循環手段
【図１】
0004080742.tif 000002
【図２】
0004080742.tif 000003
【図３】
0004080742.tif 000004
【図４】
0004080742.tif 000005
【図５】
0004080742.tif 000006
【図６】
0004080742.tif 000007
【図７】
0004080742.tif 000008
【図８】
0004080742.tif 000009